(57)【要約】【課題】  マルチタイプ携帯型デジタルデータ保存アダプタの提供。【解決手段】  本考案のマルチタイプ携帯型デジタルデータ保存アダプタは、電源回路、マイクロプロセッサ（ＭＣＵ）、カードリードチップ、ＵＳＢコネクタ及びメモリカードスロットが組み合わされてなる。デジタルデータをメモリカードから携帯ディスクに伝送したい時は、メモリカードと携帯型ディスクをそれぞれＵＳＢコネクタとメモリカードスロットに挿入し、更に該カードリードチップとマイクロプロセッサを通してデータの伝送と保存を完成し、コンピュータの媒介不要で、デジタルデータを各種の異なる保存メディア間で転移でき、随意にデジタルデータの交換保存が行なえる機能を達成している。【選択図】        図１
0003106822.tif 000002
【実用新案登録請求の範囲】
【請求項１】
マイクロプロセッサ（ＭＣＵ）、メモリ、マルチタイプカードリードチップ、液晶パネル、電源回路、キーセットが組み合わされてなるマルチタイプ携帯型デジタルデータ保存アダプタにおいて、
該マイクロプロセッサは、内部回路を制御し、並びにＭｉｎｉ  ＵＳＢコネクタ及び二つのＵＳＢコネクタに接続され、該マイクロプロセッサにデータ伝送ポート、データ位置ポート、カードリードチップ伝送ポート、ＬＣＤ出力ポート、電源入力ポート及びキー入力ポートが設置され、
該メモリは、現在交換実行中のデジタルデータを暫時保存し、該メモリはマイクロプロセッサのデータ伝送ポート及びデータ位置ポートに接続され、
該マルチタイプカードリードチップは、コンパクトフラッシュ（登録商標）スロット、フォーインワンメモリカードスロット、及びマイクロプロセッサのカードリードチップ伝送ポートに接続され、該マルチタイプカードリードチップにシリアルデータポートとクロックポートが設置され、該マルチタイプカードリードチップはメモリカード中に保存されたデータを変換してＵＳＢシリアル形式データとなし、並びにＵＳＢコネクタを利用してそのデータを外部装置に出力し、
該液晶パネルは、マイクロプロセッサのＬＣＤ出力ポートに接続され、操作命令及び電力供給状況を表示し、
該電源回路は、電池及びマイクロプロセッサの電源入力ポートに接続され、マイクロプロセッサが運転時に必要とする電気エネルギーを提供し、
該キーセットはマイクロプロセッサのキー入力ポートに接続され、制御信号の入力に用いられ、マイクロプロセッサの動作を制御することを特徴とする、マルチタイプ携帯型デジタルデータ保存アダプタ。
【請求項２】
請求項１記載のマルチタイプ携帯型デジタルデータ保存アダプタにおいて、マルチタイプカードリードチップのシリアルデータポート及びクロックポートがフラッシュメモリに接続されたことを特徴とする、マルチタイプ携帯型デジタルデータ保存アダプタ。
【請求項３】
請求項１記載のマルチタイプ携帯型デジタルデータ保存アダプタにおいて、フォーインワンメモリカードスロット内にメモリースティック／メモリースティックプロコネクタ、ＭＭＣ／ＳＤコネクタ、及びスマートメディア（登録商標）コネクタが設置されたことを特徴とする、マルチタイプ携帯型デジタルデータ保存アダプタ。
【考案の詳細な説明】
【技術分野】
【０００１】
本考案はマルチタイプ携帯型デジタルデータ保存アダプタに係り、特に、コンピュータの媒介不要で、デジタルデータを各種の異なる保存メディア間で転送でき、随意にデジタルデータの交換保存が行なえるアダプタに関する。
【背景技術】
【０００２】
情報科学技術の急速な発展に伴い、デジタルデータの伝送速度、保存容量も大幅に増加し、これにより、大量のデジタルデータが保存された後にコンピュータにより読み取られ使用され、その保存データの保存媒体としては、メモリカード、携帯型ディスク、録音ペン、ＰＤＡ、ＰＶＲ（Ｐｅｒｓｏｎａｌ  Ｖｉｄｅｏ  Ｒｅｃｏｒｄｅｒ）、デジタルカメラ、ＵＳＢ  ＣＤ−ＲＯＭ、Ａ／Ｖ  デコーダ、ＵＳＢ  ＭＰ３  プレイヤー及びカードリーダー等の装置があり、これらの情報設備間で保存データを伝送するための通常の方法としては、これらの情報設備をケーブルを用いてコンピュータに接続し、さらにコンピュータを媒介とし、相互間のデジタルデータを伝送保存或いは読み取る。このような方式はコンピュータを媒介とする必要があり、伝送時にコンピュータを必要とする。しかし、実際の場合は必ずしもコンピュータがあるとは限らず、またコンピュータを組み合わせることができないこともあり、このため使用したい時に不都合が生じる場合が多い。
【考案の開示】
【考案が解決しようとする課題】
【０００３】
本考案の主要な目的は、一種のマルチタイプ携帯型デジタルデータ保存アダプタを提供することにある。それは、コンピュータによる媒介が不要で、デジタルデータを各種の異なる保存メディア間で交換でき、いつでもどこでもデジタルデータの保存を行なえる機能を達成できる装置であるものとする。
【課題を解決するための手段】
【０００４】
請求項１の考案は、マイクロプロセッサ（ＭＣＵ）、メモリ、マルチタイプカードリードチップ、液晶パネル、電源回路、キーセットが組み合わされてなるマルチタイプ携帯型デジタルデータ保存アダプタにおいて、
該マイクロプロセッサは、内部回路を制御し、並びにＭｉｎｉ  ＵＳＢコネクタ及び二つのＵＳＢコネクタに接続され、該マイクロプロセッサにデータ伝送ポート、データ位置ポート、カードリードチップ伝送ポート、ＬＣＤ出力ポート、電源入力ポート及びキー入力ポートが設置され、
該メモリは、現在交換実行中のデジタルデータを暫時保存し、該メモリはマイクロプロセッサのデータ伝送ポート及びデータ位置ポートに接続され、
該マルチタイプカードリードチップは、コンパクトフラッシュ（登録商標）スロット、フォーインワンメモリカードスロット、及びマイクロプロセッサのカードリードチップ伝送ポートに接続され、該マルチタイプカードリードチップにシリアルデータポートとクロックポートが設置され、該マルチタイプカードリードチップはメモリカード中に保存されたデータを変換してＵＳＢシリアル形式データとなし、並びにＵＳＢコネクタを利用してそのデータを外部装置に出力し、
該液晶パネルは、マイクロプロセッサのＬＣＤ出力ポートに接続され、操作命令及び電力供給状況を表示し、
該電源回路は、電池及びマイクロプロセッサの電源入力ポートに接続され、マイクロプロセッサが運転時に必要とする電気エネルギーを提供し、
該キーセットはマイクロプロセッサのキー入力ポートに接続され、制御信号の入力に用いられ、マイクロプロセッサの動作を制御することを特徴とする、マルチタイプ携帯型デジタルデータ保存アダプタとしている。
請求項２の考案は、請求項１記載のマルチタイプ携帯型デジタルデータ保存アダプタにおいて、マルチタイプカードリードチップのシリアルデータポート及びクロックポートがフラッシュメモリに接続されたことを特徴とする、マルチタイプ携帯型デジタルデータ保存アダプタとしている。
請求項３の考案は、請求項１記載のマルチタイプ携帯型デジタルデータ保存アダプタにおいて、フォーインワンメモリカードスロット内にメモリースティック／メモリースティックプロコネクタ、ＭＭＣ／ＳＤコネクタ、及びスマートメディア（登録商標）コネクタが設置されたことを特徴とする、マルチタイプ携帯型デジタルデータ保存アダプタとしている。
【考案の効果】
【０００５】
本考案のマルチタイプ携帯型デジタルデータ保存アダプタは、コンピュータの媒介不要で、デジタルデータを各種の異なる保存メディア間で転移でき、随意にデジタルデータの交換保存が行なえる機能を達成している。
【考案を実施するための最良の形態】
【０００６】
本考案のマルチタイプ携帯型デジタルデータ保存アダプタは、電源回路、マイクロプロセッサ（ＭＣＵ）、カードリードチップ、ＵＳＢコネクタ及びメモリカードスロットが組み合わされてなる。デジタルデータをメモリカードから携帯ディスクに伝送したい時は、メモリカードと携帯型ディスクをそれぞれＵＳＢコネクタとメモリカードスロットに挿入し、更に該カードリードチップとマイクロプロセッサを通してデータの伝送と保存を完成する。
【実施例１】
【０００７】
図１、２、３、４、５、６、７に示されるように、本考案のマルチタイプ携帯型デジタルデータ保存アダプタは、マイクロプロセッサ（ＭＣＵ）１、メモリ２、マルチタイプカードリードチップ３、液晶パネル４、電源回路５、キーセット６及びフラッシュメモリ７で組成されている。本考案の特徴は以下のとおりである。
【０００８】
該マイクロプロセッサ１は、内部回路を制御し、並びにＭｉｎｉ  ＵＳＢコネクタ１０及び二つのＵＳＢコネクタ１１、１８に接続され、該マイクロプロセッサ１にデータ伝送ポート１２、データ位置ポート１３、カードリードチップ伝送ポート１４、ＬＣＤ出力ポート１５、電源入力ポート１６及びキー入力ポート１７が設置されている。
【０００９】
該メモリ２は、現在交換実行中のデジタルデータを暫時保存し、該メモリ２はマイクロプロセッサ１のデータ伝送ポート１２及びデータ位置ポート１３に接続されている。
【００１０】
該マルチタイプカードリードチップ３は、コンパクトフラッシュ（登録商標）スロット３０、フォーインワンメモリカードスロット３１、及びマイクロプロセッサ１のカードリードチップ伝送ポート１４に接続され、該マルチタイプカードリードチップ３にシリアルデータポート３４とクロックポート３５が設置され、該マルチタイプカードリードチップ３はメモリカード中に保存されたデータを変換してＵＳＢシリアル形式データとなし、並びにＵＳＢコネクタ１１を利用してそのデータを外部装置に出力する。
【００１１】
該液晶パネル４は、マイクロプロセッサ１のＬＣＤ出力ポート１５に接続され、該液晶パネル４は操作命令及び電力供給状況を表示する。
【００１２】
該電源回路５は、電池５０及びマイクロプロセッサ１の電源入力ポート１６に接続され、該電源回路５はマイクロプロセッサ１が運転時に必要とする電気エネルギーを提供する。
【００１３】
該キーセット６はマイクロプロセッサ１のキー入力ポート１７に接続され、該キーセット６は制御信号の入力に用いられ、マイクロプロセッサ１の動作を制御する。
【００１４】
該フラッシュメモリ７は、マルチタイプカードリードチップ３のシリアルデータポート３４及びクロックポート３５に接続され、該フラッシュメモリ７はＵＳＢシリアル形式データを保存する。
【００１５】
該フォーインワンメモリカードスロット３１は、マルチタイプカードリードチップ３に接続され、該フォーインワンメモリカードスロット３１内にメモリースティック／メモリースティックプロコネクタ３１０、ＭＭＣ／ＳＤコネクタ３１１、及びスマートメディア（登録商標）コネクタ３１２が設置されている。
【００１６】
更に、上述の外部装置は携帯型ディスク、録音ペン、ＰＤＡ、ＰＶＲ（Ｐｅｒｓｏｎａｌ  Ｖｉｄｅｏ  Ｒｅｃｏｒｄｅｒ）、デジタルカメラ、ＵＳＢ  ＣＤ−ＲＯＭ、Ａ／Ｖ  デコーダ、ＵＳＢ  ＭＰ３  プレイヤー及びカードリーダー等の装置のＭｉｎｉ  ＵＳＢ或いはＵＳＢプラグに接続される。また、コンパクトフラッシュ（登録商標）スロット３０にコンパクトフラッシュ（登録商標）メモリカードを挿入でき、該フォーインワンメモリカードスロット３１にメモリースティックメモリカード、メモリースティックＰＲＯメモリカード、ＭＭＣメモリカード、ＳＤメモリカード、及びスマートメディア（登録商標）メモリカードを挿入できる。
【００１７】
以上の構造により、二つの保存メディアを有してその一方がコンパクトフラッシュ（登録商標）メモリカードで、もう一方が携帯型ディスクであり、使用者がコンパクトフラッシュ（登録商標）メモリカードに保存されたデジタルデータを携帯型ディスクに伝送したい時は、コンパクトフラッシュ（登録商標）メモリカードを本考案のマルチタイプ携帯型デジタルデータ保存アダプタのコンパクトフラッシュ（登録商標）スロット３０に挿入し、更に携帯型ディスクのＵＳＢプラグをＵＳＢコネクタ１１内に挿入すると、マイクロプロセッサ１及びマルチタイプカードリードチップ３が携帯型ディスク及びコンパクトフラッシュ（登録商標）メモリカードが携帯型ディスク及びコンパクトフラッシュ（登録商標）メモリカードが位置決めされたのを検出すると、信号を発生して液晶パネル４に送り、該液晶パネル４が文字シングを表示して使用者にキーセット６を利用して操作を選択するよう要求し、使用者はデータをコンパクトフラッシュ（登録商標）メモリカードより携帯型ディスクに伝送するか或いは携帯型ディスクよりコンパクトフラッシュ（登録商標）メモリカードに伝送するよう選択し、選択後にキーセット６の確定キーを押せば、データ伝送が実行される。
【００１８】
上述したように、使用者がコンパクトフラッシュ（登録商標）メモリカードより携帯型ディスクに伝送することを選択すると、マイクロプロセッサ１は制御信号を出力し、マルチタイプカードリードチップ３にコンパクトフラッシュ（登録商標）メモリカード内のデータを読み取らせ、並びにデータをメモリ２に暫時保存し、該メモリ２中のデータが一定量保存されると、更にマルチタイプカードリードチップ３を利用してデータをＵＳＢシリアル形式データに変換し、変換後のデータはマイクロプロセッサ１及びＵＳＢコネクタ１１を通して携帯型ディスクに伝送され、このデータが携帯型ディスク中に保存され、こうして二つの異なる保存メディア間のデータ転移が完成する。
【００１９】
次に、本考案のマルチタイプ携帯型デジタルデータ保存アダプタは一般の電池を使用して電力を提供し外接電源不要であり、これにより体積がコンパクトであり、使用者はいつでもどこでも二つの保存メディア内のデータを交換保存でき、且つそれはコンピュータに接続することなく完成し、携帯使用に便利な機能を達成する。
【００２０】
総合すると、本考案のマルチタイプ携帯型デジタルデータ保存アダプタは各種の異なる保存メディア間のデータ転移を達成し、且つこの構造の改良はデータ保存時の便利性を増し、ゆえに本考案は実用性と進歩性を有している。
【図面の簡単な説明】
【００２１】
【図１】本考案のブロック図である。
【図２】本考案のマイクロプロセッサ及びメモリの回路図である。
【図３】本考案の液晶パネルの回路図である。
【図４】本考案の電源回路の回路図である。
【図５】本考案のマルチタイプカードリードチップの回路図である。
【図６】本考案のフォーインワンメモリカードスロットの回路図である。
【図７】本考案のコンパクトフラッシュ（登録商標）スロットの回路図である。
【符号の説明】
【００２２】
１  マイクロプロセッサ                  ２  メモリ
３  マルチタイプカードリードチップ      ４  液晶パネル
５  電源回路                            ６  キーセット
７  フラッシュメモリ                    １０  Ｍｉｎｉ  ＵＳＢコネクタ
１１、１８  ＵＳＢコネクタ              １２  データ伝送ポート
１３  データ位置ポート                  １４  カードリードチップ伝送ポート
１５  ＬＣＤ出力ポート                  １６  電源入力ポート
１７  キー入力ポート                    ３０  コンパクトフラッシュ（登録商標）スロット
３１  フォーインワンメモリカードスロット  ３４  シリアルデータポート
３５  クロックポート                    ５０  電池
３１０  メモリースティック／メモリースティックプロコネクタ
３１１  ＭＭＣ／ＳＤコネクタ
３１２  スマートメディア（登録商標）コネクタ
【図１】
0003106822.tif 000003
【図２】
0003106822.tif 000004
【図３】
0003106822.tif 000005
【図４】
0003106822.tif 000006
【図５】
0003106822.tif 000007
【図６】
0003106822.tif 000008
【図７】
0003106822.tif 000009
【手続補正書】
【提出日】平成16年8月20日(2004.8.20)
【手続補正１】
【補正対象書類名】明細書
【補正対象項目名】全文
【補正方法】変更
【補正の内容】
【考案の詳細な説明】
【技術分野】
【０００１】
本考案はマルチタイプ携帯型デジタルデータ保存アダプタに係り、特に、コンピュータの媒介不要で、デジタルデータを各種の異なる保存メディア間で転送でき、随意にデジタルデータの交換保存が行なえるアダプタに関する。
【背景技術】
【０００２】
情報科学技術の急速な発展に伴い、デジタルデータの伝送速度、保存容量も大幅に増加し、これにより、大量のデジタルデータが保存された後にコンピュータにより読み取られ使用され、その保存データの保存媒体としては、メモリカード、携帯型ディスク、録音ペン、ＰＤＡ、ＰＶＲ（Ｐｅｒｓｏｎａｌ  Ｖｉｄｅｏ  Ｒｅｃｏｒｄｅｒ）、デジタルカメラ、ＵＳＢ  ＣＤ−ＲＯＭ、Ａ／Ｖ  デコーダ、ＵＳＢ  ＭＰ３  プレイヤー及びカードリーダー等の装置があり、これらの情報設備間で保存データを伝送するための通常の方法としては、これらの情報設備をケーブルを用いてコンピュータに接続し、さらにコンピュータを媒介とし、相互間のデジタルデータを伝送保存或いは読み取る。このような方式はコンピュータを媒介とする必要があり、伝送時にコンピュータを必要とする。しかし、実際の場合は必ずしもコンピュータがあるとは限らず、またコンピュータを組み合わせることができないこともあり、このため使用したい時に不都合が生じる場合が多い。
【考案の開示】
【考案が解決しようとする課題】
【０００３】
本考案の主要な目的は、一種のマルチタイプ携帯型デジタルデータ保存アダプタを提供することにある。それは、コンピュータによる媒介が不要で、デジタルデータを各種の異なる保存メディア間で交換でき、いつでもどこでもデジタルデータの保存を行なえる機能を達成できる装置であるものとする。
【課題を解決するための手段】
【０００４】
請求項１の考案は、マイクロプロセッサ（ＭＣＵ）、メモリ、マルチタイプカードリードチップ、液晶パネル、電源回路、キーセットが組み合わされてなるマルチタイプ携帯型デジタルデータ保存アダプタにおいて、
該マイクロプロセッサは、内部回路を制御し、並びにＭｉｎｉ  ＵＳＢコネクタ及び二つのＵＳＢコネクタに接続され、該マイクロプロセッサにデータ伝送ポート、データ位置ポート、カードリードチップ伝送ポート、ＬＣＤ出力ポート、電源入力ポート及びキー入力ポートが設置され、
該メモリは、現在交換実行中のデジタルデータを暫時保存し、該メモリはマイクロプロセッサのデータ伝送ポート及びデータ位置ポートに接続され、
該マルチタイプカードリードチップは、コンパクトフラッシュ（登録商標）スロット、フォーインワンメモリカードスロット、及びマイクロプロセッサのカードリードチップ伝送ポートに接続され、該マルチタイプカードリードチップにシリアルデータポートとクロックポートが設置され、該マルチタイプカードリードチップはメモリカード中に保存されたデータを変換してＵＳＢシリアル形式データとなし、並びにＵＳＢコネクタを利用してそのデータを外部装置に出力し、
該液晶パネルは、マイクロプロセッサのＬＣＤ出力ポートに接続され、操作命令及び電力供給状況を表示し、
該電源回路は、電池及びマイクロプロセッサの電源入力ポートに接続され、マイクロプロセッサが運転時に必要とする電気エネルギーを提供し、
該キーセットはマイクロプロセッサのキー入力ポートに接続され、制御信号の入力に用いられ、マイクロプロセッサの動作を制御することを特徴とする、マルチタイプ携帯型デジタルデータ保存アダプタとしている。
請求項２の考案は、請求項１記載のマルチタイプ携帯型デジタルデータ保存アダプタにおいて、マルチタイプカードリードチップのシリアルデータポート及びクロックポートがフラッシュメモリに接続されたことを特徴とする、マルチタイプ携帯型デジタルデータ保存アダプタとしている。
請求項３の考案は、請求項１記載のマルチタイプ携帯型デジタルデータ保存アダプタにおいて、フォーインワンメモリカードスロット内にメモリースティック／メモリースティックプロコネクタ、ＭＭＣ／ＳＤコネクタ、及びスマートメディア（登録商標）コネクタが設置されたことを特徴とする、マルチタイプ携帯型デジタルデータ保存アダプタとしている。
【考案の効果】
【０００５】
本考案のマルチタイプ携帯型デジタルデータ保存アダプタは、コンピュータの媒介不要で、デジタルデータを各種の異なる保存メディア間で転移でき、随意にデジタルデータの交換保存が行なえる機能を達成している。
【考案を実施するための最良の形態】
【０００６】
本考案のマルチタイプ携帯型デジタルデータ保存アダプタは、電源回路、マイクロプロセッサ（ＭＣＵ）、カードリードチップ、ＵＳＢコネクタ及びメモリカードスロットが組み合わされてなる。デジタルデータをメモリカードから携帯ディスクに伝送したい時は、メモリカードと携帯型ディスクをそれぞれＵＳＢコネクタとメモリカードスロットに挿入し、更に該カードリードチップとマイクロプロセッサを通してデータの伝送と保存を完成する。
【実施例１】
【０００７】
図１に示されるように、本考案のマルチタイプ携帯型デジタルデータ保存アダプタは、マイクロプロセッサ（ＭＣＵ）１、メモリ２、マルチタイプカードリードチップ３、液晶パネル、電源回路５、キーセット６及びフラッシュメモリ７で組成されている。本考案の特徴は以下のとおりである。
【０００８】
該マイクロプロセッサ１は、内部回路を制御し、並びにＭｉｎｉ  ＵＳＢコネクタ１０及び二つのＵＳＢコネクタ１１、１８に接続され、該マイクロプロセッサ１にデータ伝送ポート、データ位置ポート、カードリードチップ伝送ポート、ＬＣＤ出力ポート１５、電源入力ポート及びキー入力ポートが設置されている。
【０００９】
該メモリ２は、現在交換実行中のデジタルデータを暫時保存し、該メモリ２はマイクロプロセッサ１のデータ伝送ポート及びデータ位置ポートに接続されている。
【００１０】
該マルチタイプカードリードチップ３は、コンパクトフラッシュ（登録商標）スロット３０、フォーインワンメモリカードスロット３１、及びマイクロプロセッサ１のカードリードチップ伝送ポートに接続され、該マルチタイプカードリードチップ３にシリアルデータポートとクロックポートが設置され、該マルチタイプカードリードチップ３はメモリカード中に保存されたデータを変換してＵＳＢシリアル形式データとなし、並びにＵＳＢコネクタ１１を利用してそのデータを外部装置に出力する。
【００１１】
該液晶パネルは、マイクロプロセッサ１のＬＣＤ出力ポート１５に接続され、該液晶パネルは操作命令及び電力供給状況を表示する。
【００１２】
該電源回路５は、電池５０及びマイクロプロセッサ１の電源入力ポートに接続され、該電源回路５はマイクロプロセッサ１が運転時に必要とする電気エネルギーを提供する。
【００１３】
該キーセット６はマイクロプロセッサ１のキー入力ポートに接続され、該キーセット６は制御信号の入力に用いられ、マイクロプロセッサ１の動作を制御する。
【００１４】
該フラッシュメモリ７は、マルチタイプカードリードチップ３のシリアルデータポート及びクロックポートに接続され、該フラッシュメモリ７はＵＳＢシリアル形式データを保存する。
【００１５】
該フォーインワンメモリカードスロット３１は、マルチタイプカードリードチップ３に接続され、該フォーインワンメモリカードスロット３１内にメモリースティック／メモリースティックプロコネクタ、ＭＭＣ／ＳＤコネクタ、及びスマートメディア（登録商標）コネクタが設置されている。
【００１６】
更に、上述の外部装置は携帯型ディスク、録音ペン、ＰＤＡ、ＰＶＲ（Ｐｅｒｓｏｎａｌ  Ｖｉｄｅｏ  Ｒｅｃｏｒｄｅｒ）、デジタルカメラ、ＵＳＢ  ＣＤ−ＲＯＭ、Ａ／Ｖ  デコーダ、ＵＳＢ  ＭＰ３  プレイヤー及びカードリーダー等の装置のＭｉｎｉ  ＵＳＢ或いはＵＳＢプラグに接続される。また、コンパクトフラッシュ（登録商標）スロット３０にコンパクトフラッシュ（登録商標）メモリカードを挿入でき、該フォーインワンメモリカードスロット３１にメモリースティックメモリカード、メモリースティックＰＲＯメモリカード、ＭＭＣメモリカード、ＳＤメモリカード、及びスマートメディア（登録商標）メモリカードを挿入できる。
【００１７】
以上の構造により、二つの保存メディアを有してその一方がコンパクトフラッシュ（登録商標）メモリカードで、もう一方が携帯型ディスクであり、使用者がコンパクトフラッシュ（登録商標）メモリカードに保存されたデジタルデータを携帯型ディスクに伝送したい時は、コンパクトフラッシュ（登録商標）メモリカードを本考案のマルチタイプ携帯型デジタルデータ保存アダプタのコンパクトフラッシュ（登録商標）スロット３０に挿入し、更に携帯型ディスクのＵＳＢプラグをＵＳＢコネクタ１１内に挿入すると、マイクロプロセッサ１及びマルチタイプカードリードチップ３が携帯型ディスク及びコンパクトフラッシュ（登録商標）メモリカードが携帯型ディスク及びコンパクトフラッシュ（登録商標）メモリカードが位置決めされたのを検出すると、信号を発生して液晶パネルに送り、該液晶パネルが文字信号を表示して使用者にキーセット６を利用して操作を選択するよう要求し、使用者はデータをコンパクトフラッシュ（登録商標）メモリカードより携帯型ディスクに伝送するか或いは携帯型ディスクよりコンパクトフラッシュ（登録商標）メモリカードに伝送するよう選択し、選択後にキーセット６の確定キーを押せば、データ伝送が実行される。
【００１８】
上述したように、使用者がコンパクトフラッシュ（登録商標）メモリカードより携帯型ディスクに伝送することを選択すると、マイクロプロセッサ１は制御信号を出力し、マルチタイプカードリードチップ３にコンパクトフラッシュ（登録商標）メモリカード内のデータを読み取らせ、並びにデータをメモリ２に暫時保存し、該メモリ２中のデータが一定量保存されると、更にマルチタイプカードリードチップ３を利用してデータをＵＳＢシリアル形式データに変換し、変換後のデータはマイクロプロセッサ１及びＵＳＢコネクタ１１を通して携帯型ディスクに伝送され、このデータが携帯型ディスク中に保存され、こうして二つの異なる保存メディア間のデータ転移が完成する。
【００１９】
次に、本考案のマルチタイプ携帯型デジタルデータ保存アダプタは一般の電池を使用して電力を提供し外接電源不要であり、これにより体積がコンパクトであり、使用者はいつでもどこでも二つの保存メディア内のデータを交換保存でき、且つそれはコンピュータに接続することなく完成し、携帯使用に便利な機能を達成する。
【００２０】
総合すると、本考案のマルチタイプ携帯型デジタルデータ保存アダプタは各種の異なる保存メディア間のデータ転移を達成し、且つこの構造の改良はデータ保存時の便利性を増し、ゆえに本考案は実用性と進歩性を有している。
【図面の簡単な説明】
【００２１】
【図１】本考案のブロック図である。
【符号の説明】
【００２２】
１  マイクロプロセッサ                  ２  メモリ
３  マルチタイプカードリードチップ
５  電源回路                            ６  キーセット
７  フラッシュメモリ                    １０  Ｍｉｎｉ  ＵＳＢコネクタ
１１、１８  ＵＳＢコネクタ
１５  ＬＣＤ出力ポート
３０  コンパクトフラッシュ（登録商標）スロット
３１  フォーインワンメモリカードスロット
【手続補正２】
【補正対象書類名】図面
【補正対象項目名】図２
【補正方法】削除
【補正の内容】
【手続補正３】
【補正対象書類名】図面
【補正対象項目名】図３
【補正方法】削除
【補正の内容】
【手続補正４】
【補正対象書類名】図面
【補正対象項目名】図４
【補正方法】削除
【補正の内容】
【手続補正５】
【補正対象書類名】図面
【補正対象項目名】図５
【補正方法】削除
【補正の内容】
【手続補正６】
【補正対象書類名】図面
【補正対象項目名】図６
【補正方法】削除
【補正の内容】
【手続補正７】
【補正対象書類名】図面
【補正対象項目名】図７
【補正方法】削除
【補正の内容】